【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
画像データに応じて光源から出射された光ビームの進行方向を多面鏡の回転により偏向させて走査光とし、前記走査光が感光体上を走査して露光することにより前記感光体上に潜像を形成する光ビーム走査装置であって、
第１速度で回転する第１多面鏡と、
前記第１速度と異なる第２速度で回転する第２多面鏡と、
前記第１多面鏡と前記第２多面鏡とを選択的に使用して画像形成を行う制御手段と、
を有することを特徴とする光ビーム走査装置。
【請求項２】
前記制御手段は、前記潜像を現像して記録媒体の両面に画像を形成する場合に、第１面用の潜像を形成するために前記第１多面鏡を使用し、第２面用の潜像を形成するために前記第２多面鏡を使用することを特徴とする請求項１に記載の光ビーム走査装置。
【請求項３】
前記第２多面鏡の回転速度が前記第１多面鏡の回転速度より早いことを特徴とする請求項２に記載の光ビーム走査装置。
【請求項４】
前記第１多面鏡と前記第２多面鏡とは、同一方向に回転することを特徴とする請求項３に記載の光ビーム走査装置。
【請求項５】
前記第１多面鏡と前記第２多面鏡とは、互いに反対方向に回転することを特徴とする請求項３に記載の光ビーム走査装置。
【請求項６】
前記制御手段は、第１解像度の潜像を形成するために前記第１多面鏡を使用し、第２解像度の潜像を形成するために前記第２多面鏡を使用することを特徴とする請求項１に記載の光ビーム走査装置。
【請求項７】
画像データに応じて光ビームを出射する光源と、
前記第１多面鏡を使用して画像形成を行う場合には、前記光ビームを前記第１多面鏡に入射させ、前記第２多面鏡を使用して画像形成を行う場合には、前記光ビームを前記第２多面鏡に入射させるように、前記光ビームの方向を変える方向変更手段とを有することを特徴とする請求項１に記載の光ビーム走査装置。
【請求項８】
前記第１多面鏡と前記第２多面鏡とは、同一方向に回転することを特徴とする請求項７に記載の光ビーム走査装置。
【請求項９】
前記第１多面鏡と前記第２多面鏡とは、互いに反対方向に回転することを特徴とする請求項７に記載の光ビーム走査装置。
【請求項１０】
前記第１多面鏡の回転速度と前記第２多面鏡の回転速度とは、記録媒体の種類別に予め記憶手段に格納されている情報に基づいて決定されることを特徴とする請求項２に記載の光ビーム走査装置。
【請求項１１】
前記潜像が現像され記録媒体の表面上に転写されて定着された後に、前記記録媒体のサイズを検知する検知手段と、
前記検知手段の検知結果に基づいて前記第２多面鏡の回転速度を調整する調整手段と、を更に有することを特徴とする請求項２に記載の光ビーム走査装置。
【請求項１２】
前記画像を形成するために用いる画像データを、文字を形成する第１データ群と画像を形成する第２データ群とに分別する分別手段を更に有し、
前記制御手段は、前記第１データ群を用いて文字用の潜像を形成するときには前記第２多面鏡を使用し、前記第２データ群を用いて画像用の潜像を形成するときには前記第１多面鏡を使用することを特徴とする請求項１に記載の光ビーム走査装置。
【請求項１３】
画像データに応じて光源から出射されたレーザ光の進行方向を多面鏡の回転により偏向させて走査光とし、前記走査光が感光体上を走査して露光することにより前記感光体上に潜像を形成する光ビーム走査装置を有する画像形成装置の制御方法であって、前記光ビーム走査装置が、第１速度で回転する第１多面鏡と、前記第１速度と異なる第２速度で回転する第２多面鏡とを有し、
前記第１多面鏡と前記第２多面鏡とを選択する選択工程と、
第１の画像の潜像を形成するために前記第１多面鏡を使用し、第２の画像の潜像を形成するために前記第２多面鏡を使用して画像形成する画像形成工程と、
を含むことを特徴とする画像形成装置の制御方法。
【請求項１４】
前記画像形成工程では、前記潜像を現像して記録媒体の両面に画像を形成する場合に、第１面用の潜像を形成するために前記第１多面鏡を使用し、第２面用の潜像を形成するために前記第２多面鏡を使用することを特徴とする請求項１３に記載の画像形成装置の制御方法。
【請求項１５】
前記第１多面鏡と前記第２多面鏡とは、互いに反対方向に回転することを特徴とする請求項１３に記載の画像形成装置の制御方法。
【手続補正２】
【補正対象書類名】明細書
【補正対象項目名】発明の名称
【補正方法】変更
【補正の内容】
【発明の名称】光ビーム走査装置および画像形成装置の制御方法
【手続補正３】
【補正対象書類名】明細書
【補正対象項目名】０００１
【補正方法】変更
【補正の内容】
【０００１】
本発明は、プリンタあるいは複写機などの電子写真プロセスを用いた画像形成装置に使用する光ビーム走査装置および画像形成装置の制御方法に関する。
【手続補正４】
【補正対象書類名】明細書
【補正対象項目名】０００９
【補正方法】変更
【補正の内容】
【０００９】
本発明は、上記説明した従来技術の問題点を解決することを出発点としてなされたものである。本発明の目的は、例えば、両面印刷時などにおいても高画質な画像を形成しながら印刷時間を短縮して高生産性を達成することができる画像形成装置に用いる光ビーム走査装置および画像形成装置の制御方法を提供することである。
【手続補正５】
【補正対象書類名】明細書
【補正対象項目名】００１０
【補正方法】変更
【補正の内容】
【００１０】
上記目的を達成するための本発明の光ビーム走査装置は、以下の構成を有する。すなわち、画像データに応じて光源から出射された光ビームの進行方向を多面鏡の回転により偏向させて走査光とし、前記走査光が感光体上を走査して露光することにより前記感光体上に潜像を形成する光ビーム走査装置であって、第１速度で回転する第１多面鏡と、前記第１速度と異なる第２速度で回転する第２多面鏡と、前記第１多面鏡と前記第２多面鏡とを選択的に使用して画像形成を行う制御手段と、
を有することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、本発明の画像形成装置の制御方法は、画像データに応じて光源から出射されたレーザ光の進行方向を多面鏡の回転により偏向させて走査光とし、前記走査光が感光体上を走査して露光することにより前記感光体上に潜像を形成する光ビーム走査装置を有する画像形成装置の制御方法であって、前記光ビーム走査装置が、第１速度で回転する第１多面鏡と、前記第１速度と異なる第２速度で回転する第２多面鏡とを有し、前記第１多面鏡と前記第２多面鏡とを選択する選択工程と、第１の画像の潜像を形成するために前記第１多面鏡を使用し、第２の画像の潜像を形成するために前記第２多面鏡を使用して画像形成する画像形成工程と、を含むことを特徴とする。
【手続補正８】
【補正対象書類名】明細書
【補正対象項目名】００１３
【補正方法】変更
【補正の内容】
【００１３】
本発明によれば、例えば、両面印刷時などにおいて高画質な画像を形成しながら印刷時間を短縮して高生産性を達成することができる画像形成装置に用いる光ビーム走査装置および画像形成装置の制御方法を提供することができる。